(57)【特許請求の範囲】
【請求項１】
左右の扉と、これらの扉を回動自在に連結する中央框とを備え、左右の扉は、召合せ框を有し、中央框は、左右の扉の召合せ框間の空間を仕切る見込壁を有し、左右の扉の召合せ框は、見込み方向一方側にパネルを取り付けるパネル取付部を有すると共に見込み方向他方側において左右の扉のパネルと対向するように左右方向に突出する他方側手掛片を有し、左右の召合せ框の少なくとも一つの見込壁には通気孔が形成してあり、この通気孔で召合せ框と中央框の見込壁の間の隙間空間と、召合せ框のパネル取付部と他方側手掛片との間の指挿入空間とを連通してあることを特徴とする折り戸。
【発明の詳細な説明】
【技術分野】
【０００１】
本発明は、折り戸に関する。
【背景技術】
【０００２】
非特許文献１には、左右の各扉に中桟を設けて中桟に引手を設けた折り戸が開示されている。
【先行技術文献】
【非特許文献】
【０００３】
【非特許文献１】第１４４頁「三協アルミ  住宅建材  エントランス  総合カタログ  出入口  ２０１３→２０１４」カタログＮｏ．ＳＴＪ０８８２Ｂ  三協立山株式会社  三協アルミ社  ２０１３年９月発行
【発明の概要】
【発明が解決しようとする課題】
【０００４】
しかし、従来の折り戸では、扉に中桟や引手を設けている為、製造コストがかかると共にすっきりとした意匠にできなかった。
【０００５】
そこで、本発明は、コストダウンを図ることができると共にすっきりとした意匠の折り戸の提供を目的とする。
【課題を解決するための手段】
【０００７】
請求項１に記載の発明は、左右の扉と、これらの扉を回動自在に連結する中央框とを備え、左右の扉は、召合せ框を有し、中央框は、左右の扉の召合せ框間の空間を仕切る見込壁を有し、左右の扉の召合せ框は、見込み方向一方側にパネルを取り付けるパネル取付部を有すると共に見込み方向他方側において左右の扉のパネルと対向するように左右方向に突出する他方側手掛片を有し、左右の召合せ框の少なくとも一つの見込壁には通気孔が形成してあり、この通気孔で召合せ框と中央框の見込壁の間の隙間空間と、召合せ框のパネル取付部と他方側手掛片との間の指挿入空間とを連通してあることを特徴とする折り戸である。
【発明の効果】
【０００９】
請求項１に記載の発明によれば、左右の扉の召合せ框の他方側手掛片が引手として機能し、且つ召合せ框に形成した通気孔で一方側空間と他方側空間との通気を図ることができるから、扉に中桟や引手や換気ガラリを設ける必要がないので、コストダウンが図れると共にすっきりとした意匠にできる。また、一方側と他方側で圧力差が生じないので、軽い力で折り戸を開閉することができる。さらに、召合せ框の見込壁に通気孔が形成してあるので、通気孔が目立たない。
【図面の簡単な説明】
【００１０】
【図１】本発明の第１実施の形態にかかる折り戸であって、図６に示すＡ−Ａ断面図である。
【図２】図１に示す折り戸を折り畳んだ状態を示す横断面図である。
【図３】本発明の第１実施の形態にかかる折り戸であって、図６に示すＢ−Ｂ断面図である。
【図４】図１に示す召合せ框の図であり、（ａ）は横断面図、（ｂ）は召合せ框を（ａ）に示すＥ方向から見た左側面図、（ｃ）は召合せ框を（ａ）に示すＦ方向から見た正面図、（ｄ）は召合せ框を（ａ）に示すＧ方向から見た右側面図である。
【図５】本発明の第１実施の形態にかかる折り戸であり、（ａ）は右召合せ框及び中央框との連結部を下側から見た斜視図であり、（ｂ）は（ａ）の変形例の斜視図、（ｃ）は（ｂ）を斜め上から見た分解斜視図である。
【図６】本発明の第１実施の形態にかかる折り戸を浴室側から見た正面図である。
【図７】本発明の第２実施の形態にかかる折り戸であって、図１と同じ位置で切断して示す横断面図である。
【図８】図７に示す折り戸を折り畳んだ状態を示す横断面図である。
【発明を実施するための形態】
【００１１】
以下に、添付図面を参照して本発明の実施の形態を説明するが、まず、図１〜図６を参照して本発明の第１実施の形態を説明する。  
図１に示すように、第１実施の形態にかかる折り戸１は、浴室戸であり、枠２内に左扉３、右扉５と、これらの扉３、５を回動自在に連結する中央框７とを備えており、浴室（一方側空間）と脱衣室（他方側空間）を開閉自在に仕切っている。尚、本明細書において、右側は脱衣室側（他方室側）から折り戸１を見たときの右側であり、同様に左側は脱衣室側（他方側）から見た左側である。また、図１の拡大図では、ロック部品５１を省略している。  
図１及び図３に示すように、枠２は、上枠９、下枠１１、左縦枠１３及び右縦枠１５を枠組みしてあり、上枠９及び下枠１１には各々案内レール１７が設けてある。
図２に示すように、左扉３の左側にある左縦框（戸尻框）１９は、左縦枠１３に隣接する位置で上枠９及び下枠１１に回動自在に固定してあり、右扉５の右縦框（戸先框）２１は、上枠９と下枠１１の案内レール１７に移動自在に且つ回動自在に係合してある。  
【００１２】
図１に示すように、中央框７は、左召合せ框２３と右召合せ框２５の長手方向に沿って上下に延出している。中央框７には、左扉３の召合せ框（左召合せ框）２３と右扉の召合せ框（右召合せ框）２５とを回動自在に係合する召合せ框係合部７ａと、召合せ框係合部７ａから左召合せ框２３と右召合せ框２５との間から見込方向に突出する見込壁７ｂと、見込壁７ｂの一方側から左右方向に突出する一方側手掛片７ｃとが設けてある。  
一方側手掛片７ｃは、見込壁７ｂの一方側において、各召合せ框２３、２５との間に隙間空間Ｓ１をあけて左右の召合せ框２３、２５に対向してある。隙間空間Ｓ１は手の指が挿入可能な寸法の空間である。一方側手掛片７ｃには左右の召合せ框２３、２５側の面に凹凸が形成してあり、掛けた手の指が滑り難くしてある。  
左扉３には、戸尻框１９と左召合せ框２３との間にパネル２９が取り付けてあり、右扉５には戸先框２１と右召合せ框２５との間にパネル２９が取り付けてある。  
【００１３】
次に、左召合せ框２３と右召合せ框２５とについて説明するが、左召合せ框２３と右召合せ框２５とは図１に示す横断面において中央框７の見込壁７ｂに対して線対象であると共に同じ構成であるから、左召合せ框２３について説明し、右召合せ框２５には同一の作用効果を奏する部分には同一の符号を付してその部分の説明を省略する。  
左召合せ框２３には、中空部３１が形成してあり、中空部３１は、中央框側見込壁３３と、パネル側見込壁３５と、一方側見付壁３７と、他方側見付壁３９とで区画して形成してある。  
パネル側見込壁３５には一方側に偏った位置にパネル取付部４１が設けてあり、パネル取付部４１よりも他方側には他方側手掛片４３が設けてある。他方側手掛片４３は、パネル２９との間に指挿入空間Ｓ２を形成してパネル２９と対向するように左方向に突出している。指挿入空間Ｓ２はパネル２９との間に手の指を挿入可能な寸法の空間である。  
他方側手掛片４３のパネル側面には凹凸が形成してあり、掛けた手の指が滑り難くしてある。他方側手掛片４３は、左召合せ框２３の長手方向に亘って上下に延出してある。  
パネル側見込壁３５に形成した通気孔４５と、中央框側見込壁３３に形成した通気孔４７とで、中央框７の一方側手掛片７ｃと左召合せ框２３との間の隙間空間Ｓ１と、他方側手掛片４３とパネル２９との間の指挿入空間Ｓ２を連通することで、一方側（浴室側）空間と他方側（脱衣室側）空間とを通気する通気路Ｋを形成してある。  
一方側見付壁３７には、中央框７の見込壁７ｂに向けて突出する一方側突片４２が設けてあり、一方側突片４２の先端は見込壁７ｂとの間に隙間を形成すると共に通気路Ｋの折り返しを形成している。  
【００１４】
図１及び図４（ａ）（ｂ）に示すように、パネル側見込壁３５にはその下側に通気孔４５が形成してある。通気孔４５は上下方向に細長い長孔で一か所にのみ形成してある。  
図１及び図４（ａ）（ｄ）に示すように、中央框側見込壁３３には、パネル側見込壁３５の通気孔４５の上下方向位置と略同じ位置に長孔状の通気孔４７が形成してある。尚、図１及び図４（ａ）（ｃ）に示すように、他方側見付壁３９の上側に設けてある孔はロック部品５１（図１参照）の取付孔４９であり、このロック部品５１の取付孔４９は、図４（ａ）に示すＨ方向から見た一方側見付壁３７にも対応する位置に設けてある。  
図１に示すように、パネル側見込壁３５の通気孔４５と、中央框側見込壁３３の通気孔４７とは見込方向でずれた位置に形成してある。  
【００１５】
図５（ａ）に示すように、右召合せ框２５の下端には、小口キャップ５３が取り付けてあり、小口キャップ５３には、下面に排水孔５５が形成してある。小口キャップ５３の排水孔５５は図１に示すように折り戸１を閉じた状態で、図２に示す下枠１１の案内レール１７よりも浴室側（一方側）に位置しており、図３に示す下枠１１の浴室側（一方側）に形成してある傾斜面１１ａに向けて排水するようにしてある。尚、図５には、右召合せ框２５について示しているが、左召合せ框２３についても、同様にその下端に小口キャップ５３が取り付けてある。  
【００１６】
次に、第１実施の形態にかかる折り戸１の作用効果について説明する。  
図１に示すように、折り戸１が全閉状態にあるときには、中央框７の一方側手掛片７ｃと、左右の扉３、５の各召合せ框２３、２５の他方側手掛片４３が引手として機能し、図６に示すように、扉３、５に従来技術のような中桟や引手を設ける必要がないので、折り戸１の製造におけるコストダウンが図れると共に折り戸１全体をすっきりとした意匠にできる。  
【００１７】
図１に通気路Ｋで示すように、左召合せ框２３及び右召合せ框２５に形成した通気孔４５、４７で一方側空間（浴室側空間）と他方側空間（脱衣室側空間）との通気を図ることができるから、この点においても図６に示すように、扉に従来技術のような換気ガラリを設ける必要がないので、コストダウンが図れると共にすっきりとした意匠にできる。また、通気孔４５、４７を通じて通気を図ることで、一方側空間と他方側空間で圧力差が生じないので、軽い力で折り戸を開閉することができる。さらに、左召合せ框２３及び右召合せ框２５には、各見込壁３３、３５に通気孔４５、４７が形成してあるので、通気孔４５、４７が目立たない。  
通気孔４５、４７は各召合せ框２３、２５の見込壁３３、３５に設けてあり、見付壁に設けていないので、浴室側（一方側）から脱衣室側（他方側）へ水が入り難い。また、湯気や暖気は上にいくものなので、図４に示すように、通気孔４５、４７を、上下方向下側に設けることで、浴室側の湯気や暖気が脱衣室側へ逃げるのを防止できる。  
各召合せ框２３、２５に通気孔４５、４７から水が浸入した場合には、図５（ａ）に示すように、各召合せ框２３、２５の下端に設けた小口キャップ５３の排水孔５５から下枠１１の浴室側傾斜面１１ａを経由して浴室内に容易に排水できる。  
【００１８】
図１に示すように、左右の召合せ框２３、２５のパネル取付部４１が一方側に偏位してあり、パネル取付部４１と他方側手掛片４３との間に指挿入空間Ｓ２を形成しているので、召合せ框２３、２５の見込寸法を大きくしなくても、折り戸１の開閉がし易くなるとともに、他方側手掛片４３の見付寸法を小さくできる。  
左右の他方側手掛片４３は、召合せ框２３、２５の他方側見付壁３９と略面一としてあるから、左右の扉３、５の連結部分の他方側面で凹凸がなく、この点においてもすっきりとした意匠にできると共に、ごみ等が溜まり難く清掃し易い。  
各召合せ框２３、２５には、中央框側見込壁３３とパネル側見込壁３５との複数の見込壁を有しており、各見込壁３３、３５に形成した通気孔４７、４５は見込方向にずれているから、一方側から水が浸入しても他方側に飛散して濡らすのを防ぐことができる。  
図２に示すように、一方側見付壁３３には、中央框７の見込壁７ｂに向けて突出する一方側突片４２を設けて、折り戸１を折り畳んだ状態で中央框７との間に隙間Ｓ３を形成してある。この隙間Ｓ３は、小さいほど指挟みを防止できる。  
【００１９】
一方側手掛片７ｃ及び他方側手掛片４３は、召合せ框２３、２５の長手方向に沿って上下に長く設けてあるから、上下方向の任意の位置で手の指を掛けることができ、身長にかかわらず、子供から大人までユニバーサルな開閉手段とすることができる。  
一方側手掛片７ｃ及び他方側手掛片４３は、一方側と他方側とで中央框７及びその近傍で左右に突出しているので、操作方法が統一され、操作性が良い。  
一方側手掛片７ｃは見込壁７ｂの左右に対称に突出してあり、他方側手掛片４３は左召合せ框２３の左側と、右召合せ框２５の右側とで突設して左右対称としてあるから、一方側及び他方側において左右いずからでも手の指を掛けられるので、この点においても操作性が良い。  
図２に示すように、折り戸１を折り畳んだ状態では、中央框７及び左右の各召合せ框２３、２５の中央框側見込壁３３が露出できるから、中央框７、中央框側見込壁３３及びその通気孔４７の清掃が可能である。  
【００２０】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。  
図７及び図８に、本発明の第２実施の形態にかかる折り戸１を示す。この第２実施の形態では、左右の各召合せ框２３、２５において、一方側突片４２は、一方側見付壁３７よりも他方側の位置で中央框側見込壁３３から中央框７の見込壁７ｂ側に突設しており、一方側見付壁３７に対して段差を形成していることが第１実施の形態と異なっている。  
この第２実施の形態によれば、第１実施の形態が一方側突片４２と一方側見付壁３７とが略面一にしてあることを除いて、第１実施の形態と同様の作用効果を奏することができると共に、図８に示すように、折り戸１を折り畳んだ状態では中央框７と一方側突片４２の先端との間の隙間Ｓ３を第１実施の形態よりも小さくでき、指挟みを防止できる。  
【００２１】
本発明は、上述した実施の形態に限らず、本発明の要旨を逸脱しない範囲で種々変形可能である。  
例えば、折り戸１は、浴室戸に限らず、ウォーキングクローゼットや建物内の部屋等を仕切るものであっても良い。  
また、左右の召合せ框２３、２５に通気孔４５、４７から浸入した水の排水方法として、図５（ｂ）（ｃ）に示すように、各召合せ框２３、２５の下端に小口キャップ５３を取り付けると共に、各召合せ框２３、２５のパネル側見込壁３５の長手方向下端に切除部５９を設けて切除部５９から排水するようにしても良い。尚、図５（ｂ）（ｃ）において符号５７で示すのは、下框である。  
中央框７の左右方向に突出している一方側手掛片７ｃは、横断面において一直線状に限らず、湾曲するものでも良い。  
左右の召合せ框２３、２５のそれぞれにおいて、中央框側見込壁３３とパネル側見込壁３５とに通気孔４７、４５を設けることに限らず、いずれか一方の召合せ框２３、２５の中央框側見込壁３３とパネル側見込壁３５とに通気孔４７、４５を設けても良い。  
左右の召合せ框２３、２５において、中央框側見込壁３３に設けた通気孔４７とパネル側見込壁３５に設けた通気孔４５とは、見込方向や上下方向にずれていても、ずれていなくても良い。  
左右の召合せ框２３、２５には、中央框側見込壁３３とパネル側見込壁３５との２つの見込壁を設けることに限らず、中央框側見込壁３３を設けないで、パネル側見込壁３５のみとしても良い。  
請求項２に記載の発明では、中央框７に見込壁７ｂの一方側において左右方向に突出する一方側手掛片７ｃは、左右方向の両方にそれぞれ突出することに限らず、見込壁７ｂの一方側において左側のみに突出したり、右側にのみ突出するものであっても良い。また、他方側手掛片４３も、左召合せ框２３と右召合せ框２５との両方に設けることに限らず、左召合せ框２３にのみその左側へ突出するように設けたり、右召合せ框２５にのみその右側へ突出するように設けても良い。  
【符号の説明】
【００２２】
１    折り戸
３    左扉
５    右扉
７    中央框
７ｂ  見込壁
７ｃ  一方側手掛片
２３  左召合せ框
２５  右召合せ框
２９  パネル
３３  中央框側見込壁
３５  パネル側見込壁
４１  パネル取付部
４３  他方側手掛片
４５、４７  通気孔
Ｓ１  隙間空間
Ｓ２  指挿入空間
【図１】
0006559922.tif 000002
【図２】
0006559922.tif 000003
【図３】
0006559922.tif 000004
【図４】
0006559922.tif 000005
【図５】
0006559922.tif 000006
【図６】
0006559922.tif 000007
【図７】
0006559922.tif 000008
【図８】
0006559922.tif 000009